(57)【要約】【課題】スイッチ等を必要とすることなくクレードル装置等、相手装置を識別することでデザイン上の制約を回避し、部品点数の削減をはかる。【解決手段】第１の信号線（信号線Ｂ）と、第１の信号線に電気的に接続された電源部（Ｖｂ）と、を備えた相手装置（クレードル装置３）に対して接続される電子機器（携帯電話２）であって、電子機器が相手装置に装着された場合に第１の信号線と電気的に接続される第２の信号線（信号線Ａ）と、第２の信号線の電位変化を監視するとともに、相手装置毎に第２の信号線の電位変化との関係を示すデータを備えた制御部３１とを有し、制御部は、第２の信号線が第１の信号線に電気的に接続されたときに発生する第２の信号線の電位変化に基づきデータを参照して電子機器が装着された相手装置を識別する。【選択図】図４
2008301009.tif 000002
【特許請求の範囲】
【請求項１】
第１の信号線と、前記第１の信号線に電気的に接続された電源部と、を備えた相手装置に装着される電子機器であって、
前記電子機器が前記相手装置に装着された場合に前記第１の信号線と電気的に接続される第２の信号線と、
前記第２の信号線の電位変化を監視するとともに、前記相手装置毎に、該相手装置に装着された際の前記第２の信号線の電位変化を示すデータを備えた制御部と、を有し、
前記制御部は、
前記第２の信号線が前記第１の信号線に電気的に接続されたときに発生する前記第２の信号線の電位変化に基づき前記データを参照して前記電子機器が装着された相手装置を識別する
ことを特徴とする電子機器。
【請求項２】
充電を行なう充電器と、第１の信号線と、前記第１の信号線に電気的に接続された電源部と、を備えた相手装置に装着される電子機器であって、
前記電子機器が前記相手装置に装着された場合に前記第１の信号線と電気的に接続される第２の信号線と、
前記第２の信号線の電位変化を監視するとともに、前記相手装置毎に、該相手装置に装着された際の前記第２の信号線の電位変化を示すデータを備えた制御部とを有し、
前記制御部は、
前記充電器による充電開始の割り込みを検出した場合に、前記第２の信号線の電位変化の監視を開始するとともに、前記第２の信号線が前記第１の信号線に電気的に接続されたときに発生する前記第２の信号線の電位変化に基づき前記データを参照して前記電子機器が装着された相手装置を識別する
ことを特徴とする電子機器。
【請求項３】
前記相手装置は、
少なくとも２種類ある
ことを特徴とする請求項１または２に記載の電子機器。
【請求項４】
前記相手装置は、
充電クレードル、スピーカアンプ付きクレードル、ウーファ付きクレードルの少なくとも一つを含む
ことを特徴とする請求項１または２に記載の電子機器。
【発明の詳細な説明】
【技術分野】
【０００１】
本発明は、複数の相手装置に装着可能であり、各相手装置に搭載された機能を実行可能な携帯電話等の電子機器に関する。
【背景技術】
【０００２】
携帯電話は、電波の送受信等に必要な電力を得るためにバッテリパックが内蔵され、外部接続装置（以下、相手装置という）である、例えば、クレードル装置により定期的に充電を行う必要がある。
【０００３】
クレードル装置は、通常、上面に携帯電話を載置、あるいは装着可能な収容空間が形成された卓上ホルダを有し、当該卓上ホルダ内に配設された回路基板と、卓上ホルダの収容空間内に突出した携帯電話の充電用端子と、給電用の接続プラグが接続されるように回路基板に半田等により取り付けられたコネクタと、卓上ホルダの給電端子とは反対側にあって収容空間内へ突出し、携帯電話の係合溝に係合するラッチとを備えて構成される。
【０００４】
また、最近では、クレードル装置を、単に充電用として用いるだけでなく、スピーカアンプ付のウーファ等を内蔵させることにより、携帯電話がクレードル装置に装着されたときに音楽等を迫力ある音質、音量で視聴する等の利用形態が出現している。
【０００５】
また、この種利用形態に関する出願も多数なされており、例えば、携帯電話と、充電端子および外部接続端子を備えたクレードル装置とを一体型ステーションとして活用するために、クレードル装置を所定の動作モードに設定し、クレードル装置に内蔵した機能回路を動作させるクレードル付き携帯機器が知られている（例えば、特許文献１参照）。
【特許文献１】特開２００３−７５９０７号公報
【発明の開示】
【発明が解決しようとする課題】
【０００６】
ところで、上記した利用形態によれば、携帯電話は、専用のクレードルにのみ装着されることが多く、他種のクレードルに装着しようとしても装着できないような機構的な仕掛けがなされている。また、携帯電話が複数種のクレードルに装着可能であるとすれば、携帯電話、あるいはクレードルにスイッチを設けてクレードルの種別を識別することが考えられるが、この場合、部品点数が増え、かつ、デザイン上の制約となり好ましくない。
【０００７】
本発明は、スイッチ等を必要とすることなくクレードル等相手装置を識別することでデザイン上の制約を回避し、部品点数の削減を図ることが可能な電子機器を提供することを目的とする。
【課題を解決するための手段】
【０００８】
上記した課題を解決するために本発明の第１の観点に係る電子機器は、第１の信号線と、前記第１の信号線に電気的に接続された電源部と、を備えた相手装置に装着される電子機器であって、前記電子機器が前記相手装置に装着された場合に前記第１の信号線と電気的に接続される第２の信号線と、前記第２の信号線の電位変化を監視するとともに、前記相手装置毎に、該相手装置に装着された際の前記第２の信号線の電位変化を示すデータを備えた制御部と、を有し、前記制御部は、前記第２の信号線が前記第１の信号線に電気的に接続されたときに発生する前記第２の信号線の電位変化に基づき前記データを参照して前記電子機器が装着された相手装置を識別する。
【０００９】
また、本発明の第２の観点に係る電子機器は、充電を行なう充電器と、第１の信号線と、前記第１の信号線に電気的に接続された電源部と、を備えた相手装置に装着される電子機器であって、前記電子機器が前記相手装置に装着された場合に前記第１の信号線と電気的に接続される第２の信号線と、前記第２の信号線の電位変化を監視するとともに、前記相手装置毎に、該相手装置に装着された際の前記第２の信号線の電位変化を示すデータを備えた制御部とを有し、前記制御部は、前記充電器による充電開始の割り込みを検出した場合に、前記第２の信号線の電位変化の監視を開始するとともに、前記第２の信号線が前記第１の信号線に電気的に接続されたときに発生する前記第２の信号線の電位変化に基づき前記データを参照して前記電子機器が装着された相手装置を識別する。
【００１０】
また、本発明の第１および第２の観点に係る電子機器において、前記相手装置は、少なくとも２種類あるものとする。
【００１１】
また、本発明の第１および第２の観点に係る電子機器において、前記相手装置は、充電クレードル、スピーカアンプ付きクレードル、ウーファ付きクレードルの少なくとも一つを含むものとする。
【発明の効果】
【００１２】
本発明の電子機器によれば、スイッチ等を必要とすることなくクレードル等相手装置を識別することができるため、デザイン的な制約を回避でき、部品点数の削減もはかれる。
【発明を実施するための最良の形態】
【００１３】
図１は、本発明の実施の形態にかかわる電子機器（ここでは携帯電話２）と、相手装置（ここではクレードル装置３）とからなる電子機器ユニット（ここでは携帯電話ユニット１）を示す、一部に透視図を含む平面図である。
図１（ａ）はクレードル装置、図１（ｂ）は閉状態における携帯電話２、図１（ｃ）は開状態における携帯電話２のそれぞれを示している。
【００１４】
図２は、携帯電話２をクレードル装置３に載置した状態を示す、一部に透視図を含む平面図であり、図２（ａ）は携帯電話２を閉状態にした場合、図２（ｂ）は携帯電話２を開状態にした場合のそれぞれを示している。
【００１５】
図３は、携帯電話２をクレードル装置３に載置した状態を示す、一部に透視図を含む側面図であり、図３（ａ）は携帯電話２を閉状態にした場合、図３（ｂ）は携帯電話２を開状態にした場合のそれぞれを示している。
【００１６】
携帯電話２は、いわゆる折り畳み式の携帯電話として構成されており、受話筐体５と、送話筐体６とを備えている。なお、受話筐体５及び送話筐体６との組み合わせは、携帯筐体の一例である。
【００１７】
受話筐体５及び送話筐体６は、それぞれの端部が連結部７により連結されており、携帯電話２は、連結部７を回動の中心として開閉可能である。受話筐体５及び送話筐体６は、それぞれ概ね薄型直方体に形成されており、閉状態では互いに重ね合わされ、一方の筐体側から他方の筐体側を見たときに互いの輪郭が略一致するようになっている。
【００１８】
受話筐体５は、例えば樹脂により略薄型直方体状に形成されている。受話筐体５には、種々の情報を画像として表示する表示部９、通話用のスピーカ３９、後述する開閉検出用センサ４２の検出対象としての磁石４１が設けられている。
【００１９】
表示部９は、例えば液晶表示ディスプレイによって構成され、受話筐体５のうち、閉状態で送話筐体６に対向する対向面に画像を表示可能である。なお、受話筐体５の背面側にも画像を表示するサブ表示部を設けてもよい。
【００２０】
通話用のスピーカ３９は、受話筐体５の連結部７とは反対側の端部５ｅの中央に設けられている。スピーカ３９は、例えばダイナミックスピーカにより構成されている。すなわち、スピーカ３９は、音響信号（電気信号）が入力されるコイルと、コイルに挿通される磁石と、コイル又は磁石に固定される振動板とを有している。
なお、スピーカ３９は、磁気を利用して音響信号を音響に変換するものでもよいし、コンデンサスピーカ等の磁気を利用しないものでもよい。また、スピーカ３９は、磁気を利用して音響信号を音響に変換するものである場合、リボンスピーカ等のダイナミックスピーカ以外のものでもよい。
【００２１】
スピーカ３９の出力した音響は、放音孔１０から出力される。放音孔１０は、スピーカ３９の位置に対応して、受話筐体５の連結部７とは反対側の端部５ｅの中央に設けられるとともに、受話筐体５の対向面に開口している。
【００２２】
送話筐体６は、例えば樹脂により略薄型直方体状に形成されている。送話筐体６には、ユーザの操作を受け付ける操作部１２、電波の送受信を行うメインアンテナ１３及びサブアンテナ１４、報知音等を出力するスピーカ１５、通話用のマイクロフォン３５、開閉検出用センサ４２が設けられている。
【００２３】
メインアンテナ１３は、送話筐体６の連結部７とは反対側の端部６ｅに内蔵されている。サブアンテナ１４は、送話筐体６の側面側であって、送話筐体６中央とメインアンテナ１３との間の位置において、送話筐体６に内蔵されている。
メインアンテナ１３及びサブアンテナ１４はダイバーシティアンテナとして構成されている。例えば、メインアンテナ１３は、送受話やメールの送受信等に用いられ、常時利用される。サブアンテナ１４は、音楽をダウンロードするときなど、音声通話時以外のデータ通信が行われるときにメインアンテナ１３と併せて利用する。
【００２４】
報知用のスピーカ１５は、送話筐体６の連結部７側の端部に設けられ、送話筐体６の側方側に２つ設けられている。スピーカ１５は、例えばダイナミックスピーカにより構成されている。すなわち、スピーカ１５は、音響信号（電気信号）が入力されるコイルと、コイルに挿通される磁石と、コイルまたは磁石に固定される振動板とを有している。
なお、スピーカ１５は、磁気を利用して音響信号を音響に変換するものでもよいし、コンデンサスピーカ等の磁気を利用しないものでもよい。また、スピーカ１５は、磁気を利用して音響信号を音響に変換するものである場合、リボンスピーカ等のダイナミックスピーカ以外のものでもよい。
【００２５】
スピーカ１５から出力された音響は、放音孔１７から出力される。放音孔１７は、スピーカ１５の位置に対応して、送話筐体６の連結部７側の端部の側方側に２つ設けられ、受話筐体５と対向する面とは反対側の面（クレードル装置３に対向する面）に開口している。なお、放音孔１７は送話筐体６の側面に開口してもよい。
【００２６】
通話用のマイクロフォン３５は、送話筐体６の連結部７とは反対側の端部６ｅの中央に設けられている。マイクロフォン３５は、例えばダイナミックマイクロフォンにより構成されている。すなわち、マイクロフォン３５は、音響信号を出力するコイルと、コイルに挿される磁石と、コイル又は磁石に固定される振動板とを有している。
なお、マイクロフォン３５は、磁気を利用して音響を音響信号に変換するものでもよいし、コンデンサマイクロフォン等の磁気を利用しないものでもよい。また、マイクロフォン３５は、磁気を利用して音響を音響信号に変換するものである場合、リボンマイクロフォン等のダイナミックマイクロフォン以外のものでもよい。
【００２７】
マイクロフォン３５には、集音孔１６を介して音響が入力される。集音孔１６は、マイクロフォン３５の位置に対応して、送話筐体６のうち、連結部７とは反対側の端部６ｅの中央に設けられ、受話筐体５に対向する対向面に開口している。
【００２８】
開閉検出用センサ４２は、磁気センサにより構成されている。例えば、開閉検出用センサ４２は、ホールＩＣや磁気抵抗素子を含んで構成され、検出した磁界の所定方向の強さに応じた電位の信号を出力する。
開閉検出用センサ４２は、送話筐体６において、長手方向の中央付近（連結部７から、連結部７とは反対側の端部６ｅまでの間の中央付近）であって、側方側に設けられている。
【００２９】
受話筐体５のうち、閉状態にしたときに、開閉検出用センサ４２と対向する位置には、前述の磁石４１が設けられている。
従って、携帯電話２を閉状態にすると、磁石４１と開閉検出用センサ４２とは近接し、開閉検出用センサ４２の配置位置における磁界は強くなり、携帯電話２を閉状態にすると、磁石４１と開閉検出用センサ４２とは離間し、開閉検出用センサ４２の配置位置における磁界は弱くなる。従って、開閉検出用センサ４２により検出される磁界の強さが所定の閾値よりも大きいか否かにより、開閉検出（閉状態の検出）を行うことができる。
なお、開閉検出用センサ４２は、検出した磁界の強さが所定の閾値よりも大きいか否かに応じてオン信号又はオフ信号を出力するように構成されていてもよい。
【００３０】
一方、相手装置であるクレードル装置３は、筐体１８と、クレードル装置３に電力を供給するためのコード１９と、クレードル装置３と携帯電話２とを電気的に接続するための充電端子２０、２１を備えている。
【００３１】
筐体１８は、例えば、机上などに載置される下部カバー１８ａと、下部カバー１８ａに被せられる上部カバー１８ｂとを備えている。下部カバー１８ａ及び上部カバー１８ｂは例えば誦しにより形成されている。上部カバー１８ｂは、筐体１８が載置される面に対して傾斜するように下部カバー１８ａに被せられており、筐体１８は、載置される面（机面等）に対して傾斜する傾斜面１８ｃを有する台形状に形成されている。
【００３２】
筐体１８の上面には、携帯電話２を載置するための凹部（載置部）２５が形成されている。凹部２５は、傾斜面１８ｃの下方側に設けられている。
凹部２５は、携帯電話２の送話筐体６が嵌合する形状（図示省略するが凹部２５の両端に瓜部が形成されて送話筐体６の連結部７側及びマイクロフォン３５側に形成される凸部に係合する形状となっている）に形成されるとともに、送話筐体６の背面６ａが当接する載置面（凹部２５の底部）１８ｄが、クレードル装置３が載置される面（机面等）に対して傾斜するように形成されている。
携帯電話２は、連結部７側を傾斜面１８ｃ上方側に向けて、送話筐体６が凹部２５に嵌合挿入されることにより、クレードル装置３に載置される。
【００３３】
なお、送話筐体６の背面６ａは、携帯筐体の所定面の一例である。送話筐体６がクレードル装置３の凹部２５に嵌合挿入されているときの送話筐体６及びクレードル装置３の筐体１８の位置関係は、所定の位置関係の一例である。
【００３４】
図３（ａ）および図３（ｂ）に示すように、凹部２５の深さは送話筐体６の厚さと略同等又はそれ以下である。従って、送話筐体６を凹部２５に嵌合させた状態で、受話筐体５を開閉方向へ移動させても、傾斜面１８ｃの凹部２５周縁は受話筐体５に当接しない。すなわち、携帯電話２は、クレードル装置３の載置した状態で開閉可能である。
したがって、携帯電話２は、クレードル装置３に載置したまま、使用状態に応じて開状態又は閉状態とすることができる。例えばムービー再生など表示部９に画像を表示させる場合には開状態とし、充電のみを行う場合や音楽再生を行う場合には閉状態とすることができる。
【００３５】
コード１９は、筐体１８から延出しており、その先端には、不図示の電源プラグが設けられている。電源プラグが、商用周波数の電力を供給するための電源レセプタクルに挿入されることにより、コード１９を介してクレードル装置３に電力が供給される。
【００３６】
充電端子２０、２１は、凹部２５の底部から突出するように設けられており、携帯電話２を凹部２５に嵌合挿入すると、携帯電話２の送話筐体６の凹部２５に対向する面に設けられた充電端子３７（図４参照）に当接して接続される。
【００３７】
図４は、携帯電話２およびクレードル装置３から成る携帯電話ユニット１の信号処理系の構成を示すブロック図である。
【００３８】
携帯電話２は、制御部３１と、通信処理部３２と、音響処理部３３と、画像処理部４５と、充電回路３４と、電池パック３８とを備えている。なお、音響処理部３３は音響出力部の一例である。携帯電話２は、この他にも、複数のＧＰＳ（global Positioning System）衛星から送出されるＧＰＳ信号を受信して処理し、現在地の地理的位置を割り出し、現在地周辺の地図データをディスプレイに表示させるＧＰＳ処理部等を有するが、図示は省略する。
【００３９】
制御部３１は、例えばＣＰＵ、ＲＯＭ、ＲＡＭ等を含んだＩＣチップにより構成されている。ＣＰＵはＲＯＭに記録されたプログラムを実行し、操作部１２や開閉検出用センサ４２等からの信号等に基づき、通信処理部３２、音響処理部３３、画像処理部４５等の動作を制御する。
例えば、制御部３１は、開閉検出用センサ４２から検出した磁界の強さに応じた電位の信号が入力されると、当該信号に基づいて、検出された磁界の強さが所定の閾値よりも大きいか否か判定し、大きいときには閉状態であると判定し、そうでないときには開状態であると判定する。
そして、制御部３１は、例えば、閉状態であると判定したときには表示部９による情報の表示を停止し、開状態であると判定したときには表示部９により情報の表示が実行されるように、画像処理部４５の動作を制御するなど、開閉状態に応じた処理を実行する。
【００４０】
制御部３１はまた、携帯電話２がクレードル装置３に装着された場合に発生する信号線Ａの電位変化に基づき、閾値テーブル７０に格納されたデータを参照して装着されたクレードル装置３を識別する機能を有する。詳細は後述する。
【００４１】
通信処理部３２は、高周波回路を含んで構成され、電波を利用した無線通信を行う。具体的には、通信処理部３２は、制御部３１等で処理された音響データ、画像データ等の各種データを変調して、メインアンテナ１３を介して送信する。
また、通信処理部３２は、メインアンテナ１３及びサブアンテナ１４を介して受信した信号を復調して制御部３１等に出力する。
【００４２】
音響処理部３３は、マイクロフォン３５からの音響信号を制御部３１に出力する。制御部３１に出力された音響信号は通信処理部３２を介して送信される。
また、音響処理部３３は、通信処理部３２により受信されて制御部３１から出力された通話音声の音響信号、外部記憶装置に記憶された楽曲データに基づく音響信号等をミキシング、増幅するなどして、通話用のスピーカ３９、報知等に利用されるスピーカ１５に出力する。
【００４３】
画像処理部４５は、制御部３１からの映像データを映像信号に変換して表示部９に出力する。例えば、制御部３１は、ＧＰＳ信号に基づいて特定された現在地の地図データをサーバからダウンロードするとともに、例えば、地磁気センサ等の検出結果に基づいて特定される現在の携帯電話２の向き（方位）に応じて地図データの座標交換を行い、座標交換後の地図データを画像処理部４５に出力して表示させる。ただし、座標変換等の作業は画像処理部４５が分担してもよい。
【００４４】
充電回路３４は、充電端子３７に供給された電力を適宜な電圧の電力に変換して、携帯電話２の電源としての電池パック３８に供給する。また、電池パック３８の充電状態等に応じて電池パック３８への充電（電力供給）を開始し、あるいは充電の中断を行う。
【００４５】
一方、クレードル装置３は、充電器（ＡＣコンバータ）５４の他に、クレードル装置３に付加された機能の実行が制御される被制御部５０と、電源部Ｖｂにプルアップ抵抗Ｒｂを介して接続された信号線Ｂとにより構成される。
ここで、被制御部５０とは、例えば、オーディオアンプ、ＬＥＤ（Light Emitted Diode）、ウーファ等、携帯電話２により制御される機能回路のことをいう。
なお、充電器５４は、コード１９（図１、図２）を介して供給された商用周波数の交流電流を適宜な電圧の直流電流に変換して充電端子２０、２１に出力するものである。
【００４６】
以下、携帯電話２とクレードル装置３との接続部分についての詳細説明を行う。
図４に示されるように、携帯電話２側には信号線Ａ（第２の信号線）が備え付けられており、当該信号線Ａは、不図示のポート（Ａ／Ｄ：Analog/Digital Converter）経由で制御部３１、および接点Ａに接続されているものとする。また、信号線Ａには、対ＧＮＤに抵抗Ｒａが接続され、ここでは、当該抵抗Ｒａに印加される電圧をＶａとする。
一方、クレードル装置３は、上記したように電源部Ｖｂを有しており、その電源部Ｖｂは、抵抗Ｒｂによりプルアップされ、信号線Ｂ（第１の信号線）を介して被制御部５０および接点Ｂに接続されているものとする。
ここで、携帯電話２をクレードル装置３に装着することにより信号線Ａと信号線Ｂが短絡（接点Ａと接点Ｂが接続）されるものとする。
【００４７】
携帯電話２がクレードル装置３に未装着の状態では、信号線Ａの対ＧＮＤに抵抗Ｒａが接続されていることから、信号線Ａにある電圧Ｖａが印加されることになる。ここでは電圧Ｖａは、ＧＮＤレベルであるため、仮に０［ｖ］とする。このとき、制御部３１に、携帯電話２はクレードル装置３に装着されていないと判定させる。
一方、携帯電話２がクレードル装置３に装着され、接点Ａと接点Ｂが短絡した場合、信号線Ａの電圧（仮にＶａｂとする）は、抵抗ＲａとＲｂの抵抗比によって決まり、Ｖａｂ＝｛Ｒａ／（Ｒａ＋Ｒｂ）｝＊Ｖｂとなる。このとき、信号線Ａに電圧Ｖａｂが印加され、制御部３１に、クレードル装置３に装着されたと判定させる。
【００４８】
つまり、制御部３１は、信号線Ａの電圧ＶａがＶａｂ［ｖ］の場合は、携帯電話２がクレードル装置３に接続され、０［ｖ］の場合は、クレードル装置３に未接続と判定する。
【００４９】
ところで、携帯電話２が装着されるクレードル装置３毎に、プルアップ抵抗Ｒｂを変更することにより、携帯電話２を各クレードル装置３に装着（接点Ａと接点Ｂが短絡）したときの信号線Ａに印加される電圧が変化する。
この電圧変化を制御部３１が判定することでどのクレードル装置３が接続されたかを識別することができる。
すなわち、携帯電話２が、例えば、充電クレードル装置、スピーカアンプ付きクレードル装置、ウーファ付きクレードル装置のいずれに接続されたかを判定できる。
例えば、クレードル装置３側の電源部Ｖｂに対し図４に示されるプルアップ抵抗Ｒｂに代えてプルアップ抵抗Ｒｂ１が接続されている状態で信号線Ａと信号線Ｂを接続（接点Ａと接点Ｂが短絡）した場合、信号線Ａに印加される電圧（仮にＶａｂ１とする）は、抵抗ＲａとＲｂ１の抵抗比によって決まることから、Ｖａｂ１＝｛Ｒａ／（Ｒａ＋Ｒｂ１）｝＊Ｖｂになる。
【００５０】
この場合、プルアップ抵抗Ｒｂが接続された場合の電圧Ｖａｂと電圧Ｖａｂ１との間に電圧差が生じるように抵抗Ｒｂ１を設定することにより、制御部３１は、その電圧値を検出することで、携帯電話２がどのクレードル装置３に装着されたかを判定することができる。
例えば、電圧がＶａｂ以上であれば、クレードル装置＃１（３）、電圧Ｖａｂ〜Ｖａｂ１であれば、クレードル装置＃２（３）、電圧Ｖａｂ１以下であれば、携帯電話２がどのクレードル装置３にも装着されていないということになる。
このため、制御部３１は、内蔵のメモリに閾値テーブル７０を割り付け、この閾値テーブル７０には、Ａ／Ｄの分解能に応じて電圧閾値（Ｖａｂ〜Ｖａｂ１）毎に設定されたクレードル装置３の種別に関するデータが格納される。
すなわち、制御部３１は、クレードル装置３毎に電位変化との関係を示す電圧閾値に関するデータを備えている。
なお、クレードル装置３の種類は３種以上でも良い。この場合、それぞれのクレードルが異なる抵抗（図４に示されるプルアップ抵抗Ｒｂに対応）を有する。
【００５１】
図５に、携帯電話２がクレードル装置３に装着された場合の制御部３１の動作がフローチャートで示されている。
以下、図５のフローチャートを参照しながら、本発明の実施の形態に係る電子機器の動作について詳細に説明する。
【００５２】
まず、携帯電話２がクレードル装置３に装着されたものとし（ステップＳ５１“Ｙｅｓ”）、このことにより、携帯電話２側の信号線Ａと、クレードル装置３側の信号線Ｂとが、その接点、Ａ、Ｂを介して短絡される。
そのときの信号線Ａ、信号線Ｂにかかる電圧（Ｖａｂ）は、ＲａとＲｂとの抵抗比によって決まることから、Ｖａｂ＝｛Ｒａ／（Ｒａ＋Ｒｂ）｝＊Ｖｂ［Ｖ］になる。
このとき、携帯電話２側では、制御部３１が不図示のポート（Ａ／Ｄ）を介して信号線Ａの電圧を検知する（ステップＳ５３）。
ここで、信号線Ａにかかる電圧は、Ｖａ［Ｖ］からＶａｂ［Ｖ］に変化したことがわかるため（ステップＳ５３“Ｙｅｓ”）、制御部３１は、クレードル装置３に携帯電話２が装着されたと判定することができる。また、閾値テーブル７０を参照（ステップＳ５４）することにより携帯電話２がどのクレードル装置３に装着された（クレードル種別）を判定する（ステップＳ５５）。
【００５３】
なお、充電機能を有するクレードル装置３に携帯電話２が装着された場合、充電を行うか否かの割り込みが発生し（ステップＳ５２“Ｙｅｓ”）、この割り込みが発生してから、信号線Ａの電圧変化を検出し（ステップＳ５３）、装着されたクレードル装置３の種別判定を行ってもよい。この場合、信号線Ａの電圧変化を常に監視する必要がなくなるため、制御部３１の負荷軽減、および消費電力の削減がはかれる。
【００５４】
以上の説明のように本発明の実施の形態に係る電子機器によれば、数種類の相手装置（クレードル装置３）があった場合、電子機器と相手装置の接続部分に有する抵抗Ｒａ、Ｒｂの比を変えることで、信号線Ａにかかる電圧Ｖａｂが変化し、制御部３１がその電圧を監視し、閾値と比較することにより、１本の信号線（信号線Ａ）で、電子機器がどの相手装置に装着されたか、あるいは未装着かを判定することができる。このことにより、スイッチ等を必要とすることなく、クレードル装置３等の相手装置を識別することができるため、デザイン的な制約を回避でき、部品点数の削減をはかった電子機器を提供することができる。
【００５５】
なお、充電機能を有する相手装置（クレードル装置３）に電子機器（携帯電話２）が装着された場合、充電を行うか否かの割り込みが発生するが、この割り込みが発生してから、装着された相手装置の種別判定を行うことにより、制御部３１は、信号線Ａを常に監視する必要がないため、負荷が軽減されるとともに消費電流を抑えることができる。
【００５６】
なお、上記した本発明の実施の形態に係る電子機器によれば、電子機器として、携帯電話２のみ例示したが、携帯電話２に限らず、ＰＤＡ（Personal Digital Assistants）、ゲーム機、ＰＣ等にも同様に適用が可能である。また、相手装置として、クレードル装置３のみ例示したが、装着される電子機器の機能を拡張する意味で用意される拡張装置等についても同様に適用が可能である。
【図面の簡単な説明】
【００５７】
【図１】本発明の実施形態にかかわる電子機器と、相手装置とからなる電子機器ユニットを示す、一部に透視図を含む平面図である。
【図２】電子機器を相手装置３に装着した状態を示す、一部に透視図を含む平面図である。
【図３】電子機器を相手装置に装着した状態を示す、一部に透視図を含む側面図である。
【図４】本発明の実施形態にかかわる電子機器と、相手装置とからなる電子機器ユニットの信号処理系の構成を示すブロック図である。
【図５】本発明の実施の形態に係る電子機器（制御部）の動作を示すフローチャートである。
【符号の説明】
【００５８】
１…携帯電話ユニット、２…携帯電話（電子機器）、３…クレードル装置（相手装置）、３１…制御部、５０…被制御部、５４…充電器、７０…閾値テーブル。
【図１】
2008301009.tif 000003
【図２】
2008301009.tif 000004
【図３】
2008301009.tif 000005
【図４】
2008301009.tif 000006
【図５】
2008301009.tif 000007